【事件の表示】
　特許第２９９５４２６号「遊技装置」の請求項１に係る特許に対する特許異議の申立てについて、次のとおり決定する。
【結　論】
訂正を認める。
特許第２９９５４２６号の請求項１に係る特許を取り消す。
【理　由】
（１）手続の経緯
　特許２９９５４２６号の請求項１に係る発明は、平成３年３月１８日に特許出願され、平成１１年１０月２９日にその特許権の設定登録がなされた。
　これに対して、河井清悦より特許異議の申立てがなされ、取消しの理由が通知され、その指定期間内である平成１２年１１月３０日に訂正請求がなされた後、訂正拒絶理由が通知され、訂正拒絶理由通知に対して、その指定期間内である平成１３年４月９日に手続補正書が提出されたものである。
（２）訂正の適否についての判断
ア．補正の適否
　上記補正は、訂正請求書を平成１３年４月９日付提出の手続補正書の第２頁第１行乃至第５頁第２８行記載のとおりに補正するものであるが、当該補正は、訂正請求書に添付した訂正明細書の特許請求の範囲の請求項１及び【０００７】欄に記載された「上記球排出装置の玉排出条件を確認して排出が可能であれば球排出制御等を行う制御手段」を、「上記球排出装置の排出開始条件を確認して排出が可能であれば球排出制御等を行う制御手段」と補正したもので、軽微な瑕疵の補正に相当するので、当該訂正請求に対する補正は、訂正請求書の要旨を変更するものではなく、特許法第１２０条の４第３項において準用する同法第１３１条第２項の規定に適合する。
イ．訂正の適否
１．訂正の内容
訂正事項ａ　特許請求の範囲の請求項１を下記のとおり訂正。
「【請求項１】貸し球及び賞球の両方の排出を行う単一の球排出装置及び該球排出装置から排出される貸し球及び賞球を貯留する球供給皿を備えた遊技機と、該遊技機と別体で構成されると共に一対一に配置されてカード挿入口を有するカードユニットと、を備えた遊技装置において、上記遊技装置は、少なくとも上記球排出装置の排出開始条件を確認して排出が可能であれば球排出制御等を行う制御手段と、電気的な作用に基づき上記球排出装置の作動に関わる報知が可能な報知手段とを有し、上記遊技機における、遊技中の遊技者が操作可能な所要の位置には、上記カード挿入口へカードを挿入することに基づいて該カードの保有する有価データを表示するカード残高表示器と、球貸しの排出操作を可能にする球貸し操作部と、上記カードの返却操作を可能にするカード返却操作部と、を具備させ、上記制御手段は、上記貸し球排出に関わる排出要求信号と上記賞球排出に関わる排出要求信号の両方の排出要求信号が発生した際には、貸し球排出に関わる排出要求信号を優先して上記球排出装置を作動させて貸し球の排出を優先する優先排出制御手段と、少なくとも賞球の排出が行われた場合に、上記報知手段を固有な態様で作動させることで、遊技者に対して貸し球排出と賞球排出とを区別可能に報知させる報知制御手段と、を備えるものとしたことを特徴とする遊技装置。」
訂正事項ｂ　特許明細書の段落【０００７】を下記のとおり訂正。
「【課題を解決するための手段】本発明は、上記に鑑み提案されたもので、貸し球及び賞球の両方の排出を行う単一の球排出装置（例えば、遊技媒体排出装置３９）及び該球排出装置から排出される貸し球及び賞球を貯留する球供給皿（１９）を備えた遊技機（例えば、パチンコ機本体）と、該遊技機と別体で構成されると共に一対一に配置されてカード挿入ロ（５）を有するカードユニット（例えば、サイドパネル２）と、を備えた遊技装置（例えば、パチンコ機１）において、上記遊技装置は、少なくとも上記球排出装置の排出開始条件を確認して排出が可能であれば球排出制御等を行う制御手段（例えば、制御装置４６）と、電気的な作用に基づき上記球排出装置の作動に関わる報知が可能な報知手段（例えば、スピーカ１３６、球貸し排出表示器１７、賞球排出表示器１８等）とを有し、上記遊技機における、遊技中の遊技者が操作可能な所要の位置には、上記カード挿入口へカード（例えば、プリペイドカード４）を挿入することに基づいて該カードの保有する有価データを表示するカード残高表示器（６）と、球貸しの排出操作を可能にする球貸し操作部（例えば、球貸し金額選択ボタン３）と、上記カードの返却操作を可能にするカード返却操作部（例えば、カード排出操作ボタン７）と、を具備させ、上記制御手段は、上記貸し球排出に関わる排出要求信号と上記賞球排出に関わる排出要求信号の両方の排出要求信号が発生した際には、貸し球排出に関わる排出要求信号を優先して上記球排出装置を作動させて貸し球の排出を優先する優先排出制御手段（１０４）と、少なくとも賞球の排出が行われた場合に、上記報知手段を固有な態様で作動させることで、遊技者に対して貸し球排出と賞球排出とを区別可能に報知させる報知制御手段（例えば、効果音発生手段１３４，アンプ１３５，駆動手段１６０等）と、を備えるものとしたことを特徴とする。」
２．訂正の目的の適否、新規事項の有無及び拡張・変更の存否についての判断
（ａ）特許請求の範囲の訂正
　上記訂正事項ａは、訂正前の請求項１に、明細書に記載されていた実施例に即して下位概念の限定を加えたものであり、特許請求の範囲の減縮に該当し、新規事項の追加に該当せず、実質的に特許請求の範囲を拡張又は変更するものでもない。
（ｂ）発明の詳細な説明の訂正
　上記訂正事項ｂは、前記特許請求の範囲の減縮に伴って、減縮された特許請求の範囲の記載と発明の詳細な説明の記載とを整合させるための不明瞭な記載の釈明を目的とするものと認められる。
３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。　
（３）特許異議の申し立てについての判断
１．本件の請求項１に係る発明 
  上記（２）で示したように上記訂正が認められるから、本件の請求項１に係る発明（以下、「本件発明」という。）は、上記訂正に係る訂正明細書の特許請求の範囲の請求項１に記載された事項により特定されるとおりのものである。（上記（２）イ．１．訂正事項ａ参照）
２．甲号各証に記載された発明
ａ．甲第１号証　特願平２−４１０４６２号の願書に最初に添付した明細書及び図面 
ｂ．甲第３号証　特開昭６３−１２２４８７号公報
ｃ．甲第４号証　特開昭６３−１０２７８３号公報
　当審が平成１２年９月２２日付けで通知した取消しの理由で引用した甲第１号証（以下先願明細書という）には、
「第５図乃至第７図を参照して実施例に係る玉排出装置が適用されるパチンコ機の全体の構成について説明する。本実施例において適用される球排出装置としては、景品球排出装置３３が例示される。」（第３頁第６行〜第９行）、
「また、変動入賞装置１０に入賞した入賞玉によって排出される景品玉数は、例えば、１５個であり、始動入賞口９に入賞した入賞玉によって排出される景品玉数は、例えば、７個である。また、変動入賞装置１０及び始動入賞口９以外の入賞口１１、及びチューリップ式入賞口１２への入賞玉によって排出される景品玉数は、例えば、１５個である。このように、本実施例においては、排出される景品玉数が２種類となるように遊技盤６上の入賞口がグループ分けされており、それぞれの景品玉数が排出されるときに異なる音声が発生されるようになっている。」（第４頁第４行〜第１１行）、
「【０００９】前記前面板５の前面には、投入された貸出玉又は排出された景品玉をガイドレール７の発射位置へ一個づつ導くための上皿１４が取り付けられている。しかして、図示の上皿１４においては、景品玉と貸出玉とがパチンコ機１の背面から上皿１４の上流側に形成される流出口１５を介して排出されるようになっているが、打球の入賞に基づく景品玉の流出口１５ａと、遊技者が借り受ける貸出玉の流出口１５ｂとが異なるようになっている。このため、遊技者は、景品玉と貸出玉とが共に自動的に上皿１４に排出されるので、便利であると共に、景品玉が排出されたのか、又は貸出玉が排出されたのかを容易に理解することができる。【００１０】また、前面枠３の下部には、発射位置の玉を遊技部へ打出すための操作ハンドル１６と、上皿１４に貯留できない余剰の景品玉を溜める下皿１７が設けられている。この下皿１７は、前面枠３の下部に固着される支持部材１８に灰皿１９やカード装置２０と一体的に形成されている。カード装置２０は、遊技客が購入したカードを挿入するカード挿入口２１と、該カード挿入口２１の内部に設けられるカ一ド読取器（図示しない）と、カードに記録された持ち玉情報に関連する残額表示器２２と、カードに記録された持ち玉情報の範囲内で遊技者の所望する数の貸出玉を借り出す際に操作する貸出ボタン２３ａ〜２３ｃと、前記カード挿入口２１に差込んだカードを返却してもらう際に操作する終了スイッチ２４とから構成されている。これらのカード装置２０は、図４に示すように前記前面枠３の下部裏面に止着されるカード装置制御基板２５によって制御される。」（第４頁第１２行〜第５頁第３行）、
「図示した実施例では、カード装置２０を上皿１４が形成される支持部材１８に一体的に形成したものを示したが、これを着脱可能に分離できるようにしてもよい。この分離した場合、装着する位置は、支持部材１８、前面枠３、機枠２のいずれでもよい。また、カード装置制御基板２５を前面枠３の裏面下部に取着したものを示したが、カード装置制御基板２５をカード装置２０を構成する部品を収納するボックス内に一体的に収納してもよい。」（第５頁第２０行〜第２５行）、
「機構板２６の裏面上部には、景品玉タンク３１が固着される。景品玉タンク３１の下方には、景品玉を１列に整列して景品玉排出装置３３へ導くための景品玉誘導樋３２が形成される。景品玉排出装置３３は、図７に示すように一列になって流下する景品玉の１個づつと係合する凹部が外周に形成されたスプロケット３４と、該スプロケット３４のの外周と係合してその回転を許容する排出ソレノイド３５と、排出された景品玉数を計数するための排出玉検出スイッチ３６（投受光方式）とから構成される。しかして、景品玉排出装置３３は、カードの金額情報の範囲内での排出指令信号があったとき、又は入賞玉の発生に基づいて排出指令信号があったときに、排出ソレノイド３５が励磁され、スプロケット３４の回転を許容して貸出玉又は景品玉を排出玉検出スイッチ３６で検出しながら排出し、排出玉検出スイッチ３６の検出信号数が排出指令信号の種類に対応して予め定められた所定値に達すると排出ソレノイド３５の励磁を終了して再度スプロケット３４と係合してその回転を停止するようになっている。」（第６頁第１９行〜第７頁第２行）、
「また、余剰玉排出通路４２を構成する後面壁には、音声を発生するスピーカ４３が取着されている。このスピーカ４３は、前記した景品玉の排出時及び貸出玉の排出時の音声を発生するものであり、下皿１７の開口を通って遊技者に音声が到達するようになっている。【００１７】また、パチンコ機１の背面には、前記遊技盤６の後方に遊技動作を制御する遊技装置制御基板（図示しない）が設けられ、前記前面枠３の裏面下部には、打球を発射する打球発射装置４４と、前記カード装置制御基板２５と主として前記景品玉排出装置３３を駆動制御する排出装置制御基板５０とが設けられている。カード装置制御基板２５と排出装置制御基板５０とは、相互に接続され、必要な情報をやり取りしている。」（第７頁第２６行〜第８頁第７行）、
「図１は、排出装置制御基板５０に形成される制御回路のブロック図である。図において、制御回路には、制御中枢としてのマイクロコンピュータ（ＣＰＵ）５１が使用されている。」（第８頁第１０行〜第１３行）、
「マイクロコンピュータ５１は、前記カード装置制御基板２５から出力される信号が入力するようになっている。カード装置制御基板２５から導出される信号としては、貸出スイッチＡ〜Ｃの貸出要求信号である。」（第９頁第２行〜第４行）、
「音声合成回路６４は、内部にＣＰＵや複数の音声データを記憶する記憶領域、Ｄ／Ａコンバータ、アンプ等とを含み、ＣＰＵ５１から導出される排出指令信号の種類に基づいて複数の音声データのうちから１つを選択して音声合成回路６４に接続される前記スピーカ４３からその選択された音声を出力するように駆動制御するようになっている。なお、音声合成回路６４に代えてサウンドジェネレータを使用してもよい。」（第９頁第１３行〜第１８行）、
「制御回路によって制御される排出動作をマイクロコンピュータ５１の処理手順を示した図２〜図４のフローチャートに基づいて説明する。」（第９頁第２０行〜第２１行）、
「（１）入賞玉があったときの処理　入賞玉が発生したときには、前記したステップ４０又はステップ６０で各入賞カウンタＣ１、Ｃ２の値が１づつ更新される。そして、図３に示すステップ１９０又はステップ２３０で各入賞カウンタの値が１以上であると判断されたときに以下の処理をする。まず、ステップ１９０で第１入賞カウンタＣ１の値が１以上であると判断されたときには、ステップ２００で排出数αが「７」に設定され、ステップ２１０で音声データの位置がＡにセットされる。音声データＡから始まる音声データとしては、例えば、「チリン」を１回発生する音声（効果音）が記憶されている。その後、ステップ２２０で第１入賞カウンタＣ１の値が「１」減算される。一方、ステップ２３０で第２入賞カウンタＣ２の値が１以上であると判断されたときには、ステップ２４０で排出数αが「１５」に設定され、ステップ２５０で音声データの位置がＢにセットされる。音声データＢから始まる音声データとしては、例えば、「チリン」を３回発生する音声が記憶されている。その後、ステップ２６０で第２入賞カウンタＣ２の値が「１」減算される。【００２５】上記したステップ１９０〜ステップ２２０又はステップ２３０〜ステップ２６０の処理が終了すると、ステップ２７０で排出ソレノイドフラグをセットすると共に、状態フラグＦの値を１にする。その後、ステップ２８０で排出玉カウンタＤの値が前記ステップ２００又はステップ２４０で設定したαに達するまでステップ２８０、５００、１０〜１６０、２８０の処理を繰り返す。そして、図４に示すステップ５００では、前記ステップ２７０で排出ソレノイドフラグがセットされているので排出ソレノイド３５が励磁されて景品玉の排出動作が行われ、前記ステップ２１０又はステップ２５０で音声データがセットされているのでスピーカ４３から予め定めた音声が発生される。」（第１０頁第１４行〜第１１頁第８行）、
「（２）貸出玉の貸出要求があったとき　遊技者が貸出玉を借り受けるべく貸出ボタン２３ａ〜２３ｃのいずれかを操作したときには、前記ステップ１１０、１３０、１５０で対応する貸出フラグＡ〜Ｃがセットされる。そして、前記ステップ１９０及びステップ２３０で入賞玉の記憶が共にないと判断されたときには、図４に示す貸出玉の排出動作を処理するステップに移行する。しかして、貸出フラグＡがセットされている場合には、ステップ３３０でＹｅｓと判断されて、次のステップ３４０で設定数αが２５に設定され、ステップ３５０で音声データの位置がＣにセットされる。音声データＣから始まる音声データとしては、例えば、「アリガトウゴザイマシタ」を１回発生する音声が記憶されている。その後、ステップ３６０で貸出フラグＡがリセットされる。一方、ステップ３７０で貸出フラグＢがセットされていると判断された場合には、次のステップ３８０で設定数αが７５に設定され、ステップ３９０で音声データの位置がＤにセットされる。音声データＤから始まる音声データとしては、例えば、「アリガトウゴザイマシタ」を２回発生する音声が記憶されている。その後、ステップ４００で貸出フラグＢがリセットされる。更に、ステップ４１０で貸出フラグＣがセットされていると判断された場合には、次のステップ４２０で設定数αが１２５に設定され、ステップ４３０で音声データの位置がＥにセットされる。音声データＥから始まる音声データとしては、例えば、「アリガ卜ウゴザイマシタ」を３回発生する音声が記憶されている。その後、ステップ４４０で貸出フラグＣがリセットされる。【００２８】上記したステップ３３０〜ステップ３６０又はステップ３７０〜ステップ４００又はステップ４１０〜ステップ４４０の処理が終了すると、ステップ４５０で流路切換ソレノイドフラグをセットした後、ステップ４６０で排出ソレノイドフラグをセットすると共に、状態フラグＦの値を３にする。その後、ステップ４７０で排出玉カウンタＤの値が前記ステップ３４０又はステップ３８０又はステップ４２０で設定したαに達するまでステップ４７０、５００、１０〜１８０、４７０の処理を繰り返す。そして、前記ステップ５００では、前記ステップ４５０で流路切換ソレノイドフラグがセットされているので流路切換ソレノイド３８が励磁されて景品球排出装置３３と貸球排出通路４０とを連通させると共に、前記ステップ４６０で排出ソレノイドフラグがセットされているので排出ソレノイド３５が励磁されて景品玉の排出動作が行なわれ、前記ステップ３５０又はステップ３９０又はステップ４３０で音声データがセットされているのでスピーカ４３から予め定めた音声が発生される。」（第１１頁第２２行〜第１２頁第２６行）、
「実施例に係る玉排出装置としての景品玉排出装置３３の動作について説明したが、本実施例においては、複数の景品玉排出指令信号のうち、７個用の排出指令信号又は１３個用の排出指令信号が導出されると、それに対応する音声データが選択され、スピーカ４３から出力される。また、複数の貸出玉排出指令信号のうち、１００円用の排出指令信号又は３００円用の排出指令信号又は５００円用の排出指令信号が導出されると、それに対応する音声データが選択され、スピーカ４３から出力される。このため、遊技者は、遊技盤６を注視したままでも、どの種類の景品玉又は貸出玉が排出されるかを聴覚的に知ることができ、遊技に集中することができる。」（第１３頁第１３行〜第２１行）
と記載されている。
　同じく甲第３号証には「本実施例では、第９図乃至第１２図で示すように、球貸による球排出を賞球排出よりも優先して処理する。即ち、遊技中にセーフ球が発生して通常であれば賞球排出する状態であっても、遊技者が球貸機能部２のカード挿排口３にカード２２を挿入して金額を選択した場合には、このセーフ球の発生にもとづく賞球排出に対して、球貸による球排出を割り込ませて優先的に処理するように球貸用制御装置１１のプログラムを設定してある。」（第４頁右下欄第２０行〜第５頁左上欄第９行）
と記載されている。  
　同じく甲第４号証には「本発明においては、球貸出排出と賞球排出とを１つの排出装置４で行うようにした。なお、本実施例では、第７、８図で示すように、球貸中に遊技においてセーフ球が発生した場合には、このセーフ球の発生にもとづく賞球排出を球貸による球排出に割り込ませて優先的に処理するように電気的制御装置のプログラムを設定してある。」（第３頁右下欄１２行〜第２０行）、
「また、上記した実施例では、セーフ球の発生にもとづく賞球の排出を球貸による球排出に優先させたが、逆に賞球の排出よりも球貸にもとづく球の排出を優先させて処理するようにしてもよい。」（第４頁左下欄第６行〜第１０行）と記載されている。
３．対比・判断
　本件発明と先願明細書に記載された発明とを対比する。
　先願明細書記載の「景品玉排出装置３３」は、「景品玉排出装置３３は、カードの金額情報の範囲内での排出指令信号があったとき、又は入賞玉の発生に基づいて排出指令信号があったときに、排出ソレノイド３５が励磁され、スプロケット３４の回転を許容して貸出玉又は景品玉を排出玉検出スイッチ３６で検出しながら排出し、」（第６頁第２５行〜第２９行）の記載から、本件発明同様「貸し球及び賞球の両方の排出を行う単一のもの」であり、「上皿１４」は、「投入された貸出玉又は排出された景品玉をガイドレール７の発射位置へ一個づつ導くための上皿１４」（第４頁第１３行〜第１４行）の記載から、「球排出装置から排出される貸し球及び賞球を貯留するもの」であり、「カード装置」は、「カード装置２０を．．．着脱可能に分離できるようにしてもよい。この分離した場合、装着する位置は、支持部材１８，前面枠３，木枠２のいずれでもよい。」（第５頁第２１行〜第２３行）の記載から、「遊技機と別体で構成され」ることができ、他の構成からみて分離した場合も「当然一対一に配置されるもの」であり、「マイクロコンピュータ５１」は、「また、パチンコ機1１の背面には、．．．主として前記景品玉排出装置３３を駆動制御する排出装置制御基板５０とが設けられている。」（第８頁第２行〜第５行）及び「第１図は、排出装置制御基板５０に形成される制御回路のブロック図である。図において、制御回路には、制御中枢としてのマイクロコンピュータ（ＣＰＵ）５１が使用されている」（第８頁第１０行〜第１３行）の記載から、「球排出装置の球排出制御をおこなうもの」であり、「スピーカ４３」は、「スピーカ４３は、前記した景品玉の排出時及び貸出玉の排出時の音声を発生するものであり、」（第７頁第２７行〜第２８行）及び「音声合成回路６４は、内部にＣＰＵや複数の音声データを記憶する記憶領域、Ｄ／Ａコンバータ、アンプ等とを含み、ＣＰＵ５１から導出される排出指令信号の種類に基づいて複数の音声データのうちから１つを選択して音声合成回路６４に接続される前記スピーカ４３からその選択された音声を出力するように駆動制御するようになっている。なお、音声合成回路６４に代えてサウンドジェネレータを使用してもよい。」（第９頁第１３行〜第１８行）の記載から、「電気的な作用に基づき球排出装置の作動に関わる報知が可能なもの」であり、「入賞玉があったとき．．．チリン」（第１０頁第１４行〜第２６行）、「貸出玉の貸出要求があったとき．．．アリガトウゴザイマシタ」（第１１頁第２２行〜第１２頁第１１行）の記載及び図３のマル２から図４のマル２へのフローから「少なくとも賞球の排出が行われた場合に、上記報知手段を固有な態様で作動させることで、遊技者に対して貸し球排出と賞球排出とを区別可能に報知させる報知制御手段と、を備えるもの」であり、「残高表示器」、「球貸し操作部」、「カード返却操作部」が遊技中の遊技者が操作可能な所要の位置に備えられていることは、図５より明らかである。したがって、先願明細書記載の「景品玉排出装置３３」、「上皿１４」、「カード挿入口２１」、「カード装置２０」、「マイクロコンピュータ５１」、「スピーカ４３」、「カードの金額情報」、「残額表示��２２」、「貸出ボタン２３ａ〜２３ｃ」、「終了スイッチ２４」が本件発明の「球排出装置」、「球供給皿」、「カード挿入口」、「カードユニット」、「制御手段」、「報知手段」、「カードの保有する有価データ」、「残高表示器」、「球貸し操作部」、「返却操作部」にそれぞれ相当し、両者は「貸し球及び賞球の両方の排出を行う単一の球排出装置及び該球排出装置から排出される貸し球及び賞球を貯留する球供給皿を備えた遊技機と、該遊技機と別体で構成されると共に一対一に配置されてカード挿入口を有するカードユニットと、を備えた遊技装置において、上記遊技装置は、少なくとも上記球排出装置の球排出制御等を行う制御手段と、電気的な作用に基づき上記球排出装置の作動に関わる報知が可能な報知手段とを有し、上記遊技機における、遊技中の遊技者が操作可能な所要の位置には、上記カード挿入口へカードを挿入することに基づいて該カードの保有する有価データを表示するカード残高表示器と、球貸しの排出操作を可能にする球貸し操作部と、上記カードの返却操作を可能にするカード返却操作部と、を具備させ、少なくとも賞球の排出が行われた場合に、上記報知手段を固有な態様で作動させることで、遊技者に対して貸し球排出と賞球排出とを区別可能に報知させる報知制御手段と、を備えるものとした遊技装置。」である点で一致し、次の各点で一応相違する。
　ａ本件発明の制御手段が「貸し球排出に関わる排出要求信号と賞球排出に関わる排出要求信号の両方の排出要求信号が発生した際には、貸し球排出に関わる排出要求信号を優先して球排出装置を作動させて貸し球の排出を優先する優先排出制御手段」を備えているのに対し、先願明細書記載の発明では入賞球の排出を優先している点
　ｂ本件発明の球排出制御等を行う制御手段が「球排出装置の排出開始条件を確認して排出が可能であれば球排出制御等を行う」のに対し、先願明細書にはこの点について明記されていない点。
（なお、上記一致点・相違点は特許権者も認めるところである。（平成１２年１１月３０日付け意見書第４頁第２４行〜第６頁第３行））そこで、上記相違点について検討する。
　相違点ａに対して
　貸し球及び賞球の両方の排出を行う単一の球排出装置にあっては、貸し球排出に関わる排出要求信号と賞球排出に関わる排出要求信号の両方の排出要求信号が発生した際、どちらの排出要求信号を優先的に処理するか決めておかなければならないことは当業者にとって周知技術であり（甲第３号証、甲第４号証参照）、賞球の排出を優先することに換え、貸し球の排出を優先することは、単なる周知技術の転換であって、新たな効果を奏するものでもないから、相違点ａは実質的な差異とは言えない。
　相違点ｂに対して
　球排出制御等を行うにあたり、球排出装置の排出開始条件を確認して排出が可能であれば球排出制御等を行う様にすることは、特開昭６４−４９５８６号公報第６頁左上欄第８行〜右上欄第８行、特開昭６２−２０４７８０号公報第２頁右上欄第２行〜第４行、特開昭６３−３０９２８８号公報第５頁右下欄第１３行〜第６頁左上欄第１１行、特開昭６２−２８６４８４号公報第８頁右下欄第６行〜第１９行、特開平１−９７４８５号公報第１４頁右下欄第３行〜第１７行等にみられるとおり、本件特許出願時において周知の技術にすぎない。そして、本件発明のように貸し球及び賞球の両方の排出を行う単一の球排出装置においても、球排出制御等を行うにあたり、球排出装置の排出開始条件を確認して排出が可能であれば球排出制御等を行う様にすることは、単なる周知事項の付加にすぎず、新たな効果を奏するものでもないから、相違点ｂは実質的な差異とはいえない。
　したがって、相違点ａ、相違点ｂは実質的な相違点とは言えず本件発明は、依然として先願明細書に記載された発明と同一である。
（３）むすび
　以上のとおり、本件発明は、本願の出願日前の上記の特許出願であって、特許法第４２条の２第３項の規定により当該特許出願後に出願公開がされたものとみなされたものの願書に最初に添付した明細書又は図面に記載された発明と同一であり、その発明をした者が当該特許出願に係る発明者と同一の者ではなく、当該特許出願の時にその出願人と当該他の特許出願の出願人とが同一の者でもないから、特許法第２９条の２第１項の規定により特許を受けることができない。
　したがって、本件発明についての特許は拒絶の査定をしなければならない特許出願に対してされたものと認る。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年７月４日（２００１．７．４）